(57)【特許請求の範囲】
【請求項１】
ガスエンジンヒートポンプ（以下、ＧＨＰと略称する）型空調装置の運転状態を検知し、該検知された運転状態検知情報を通信回線を介して監視センタに送信し、該監視センタにて上記空調装置の運転状態を監視するようにしたＧＨＰ型空調装置の遠隔監視装置であって、上記空調装置の運転状態を検知する検知情報出力手段と、該検知情報出力手段から空調装置の運転状態検知情報を取得するとともに、該取得した運転状態検知情報のうちの通常情報は定期的な送信により送信し、異常情報は定期的な送信に優先する不定期の送信により上記監視センタに送信する上位検知情報出力手段と、上記検知情報出力手段に形成された接続端子を介して着脱可能に接続され、該検知情報出力手段から運転状態検知情報を取得し、表示する監視モニタと、上記上位検知情報出力手段から上記検知情報出力手段への運転状態検知情報取得のための問い合わせ信号と、上記監視モニタから上記検知情報出力手段への問い合わせ信号とが同時に送信されたとき、該問い合わせ信号の衝突を検知し、該検知された側の問い合わせ信号を所定時間後に再度送信する再送信手段とを備えたことを特徴とするＧＨＰ型空調装置の遠隔監視装置。
【請求項２】
請求項１において、上記上位検知情報出力手段は、複数の空調装置の運転状態検知情報を送信するものであり、各空調装置識別情報と該空調装置の運転状態検知情報との組合せ情報を送信し、空調装置の異常が検知されたときは該異常の空調装置の識別情報と異常情報との組合せ情報を、他の空調装置の識別情報と通常情報との組合せ情報に優先させて送信することを特徴とするＧＨＰ型空調装置の遠隔監視装置。
【請求項３】
請求項１又は２において、上記上位検知情報出力手段が、空調装置同士の間、又は空調装置群と上記通信回線との間に介設されていることを特徴とするＧＨＰ型空調装置の遠隔監視装置。
【請求項４】
請求項１又は２において、何れかの空調装置の運転制御手段が上記検知情報出力手段の機能を果していることを特徴とするＧＨＰ型空調装置の遠隔監視装置。
【発明の詳細な説明】
【０００１】
【産業上の利用分野】
本発明は、ＧＨＰ型空調装置の遠隔監視装置に関し、詳細には緊急の対応を要する異常状態が発生した場合の異常情報の取り扱いに関する。
【０００２】
【従来の技術】
ＧＨＰ型空調装置は、他のあらゆる装置と同様に定期的なメンテナンスが必要である。このメンテナンスを行うべき時期は空調装置の累計運転時間等に基づいて決定するのが一般的であり、そのためには空調装置毎の累計運転時間情報を取得する必要がある。そこで空調装置に累計運転時間を表示するアワーメータを搭載する場合があるが、このアワーメータによる場合は、各空調装置の設置現場まで定期的に出向いてアワーメータを検針しなければならないという問題がある。
【０００３】
そこで、各空調装置の累計運転時間等の運転状態を検知し、該運転状態検知情報を通信回線を介して監視センタに定期的に送信（定期発呼）等し、該センタの監視装置（モニタ）等に運転状態を表示し、監視するようにした遠隔監視装置の開発が進められている。
【０００４】
【発明が解決しようとする課題】
ところで、上記遠隔監視装置の場合、運転状態検知情報を定期的に監視センタに送信するように構成されているが、この運転状態検知情報の送信間隔（定期発呼間隔）は、監視対象空調装置の台数如何等によっては比較的長い間隔に設定され、一方、検知情報の内容如何によっては緊急な対応が必要な場合がある。従って上記運転状態検知情報の送信間隔の如何によっては上述のような緊急時の要請に応えることができないという問題が懸念される。なお、上記問題を回避するには検知情報の送信間隔を短縮すれば良いのであるが、監視すべき空調装置の台数が多い場合には検知情報の送信間隔の短縮には限界がある。
【０００５】
本発明は、上記実情に鑑みてなされたもので、検知情報が機器の異常を示す異常情報である場合のような緊急の対応要請にも応えることのできるＧＨＰ型空調装置の遠隔監視装置を提供することを課題としている。
【０００６】
【課題を解決するための手段】
請求項１の発明は、ガスエンジンヒートポンプ（以下、ＧＨＰと略称する）型空調装置の運転状態を検知し、該検知された運転状態検知情報を通信回線を介して監視センタに送信し、該監視センタにて上記空調装置の運転状態を監視するようにしたＧＨＰ型空調装置の遠隔監視装置であって、上記空調装置の運転状態を検知する検知情報出力手段と、該検知情報出力手段から空調装置の運転状態検知情報を取得するとともに、該取得した運転状態検知情報のうちの通常情報は定期的な送信により送信し、異常情報は定期的な送信に優先する不定期の送信により上記監視センタに送信する上位検知情報出力手段と、上記検知情報出力手段に形成された接続端子を介して着脱可能に接続され、該検知情報出力手段から運転状態検知情報を取得し、表示する監視モニタと、上記上位検知情報出力手段から上記検知情報出力手段への運転状態検知情報取得のための問い合わせ信号と、上記監視モニタから上記検知情報出力手段への問い合わせ信号とが同時に送信されたとき、該問い合わせ信号の衝突を検知し、該検知された側の問い合わせ信号を所定時間後に再度送信する再送信手段とを備えたことを特徴としている。
【０００７】
請求項２の発明は、請求項１において、上記上位検知情報出力手段は、複数の空調装置の運転状態検知情報を送信するものであり、各空調装置識別情報と該空調装置の運転状態検知情報との組合せ情報を送信し、空調装置の異常が検知されたときは該異常の空調装置の識別情報と異常情報との組合せ情報を、他の空調装置の識別番号と通常情報との組合せ情報に優先させて送信することを特徴としている。
【０００８】
請求項３の発明は、請求項１又は２において、上記上位検知情報出力手段が、空調装置同士の間、又は空調装置群と上記通信回線との間に介設されていることを特徴とし、請求項４の発明は、請求項１又は２において、上記何れかの空調装置の運転制御手段が、上記検知情報出力手段の機能を果たしていることを特徴としている。
【０００９】
【発明の実施の形態】
以下、本発明の実施形態を添付図面に基づいて説明する。
図１ないし図９は本発明の一実施形態によるＧＨＰ型空調装置の遠隔監視装置を説明するための図であり、図１は制御系のブロック図、図２は空調装置のブロック図、図３は発呼動作を説明するためのフローチャート図、図４は発呼動作を説明するためのタイムチャート図、図５は運転状態検知情報の取得時のタイムチャート図、図６はエンジン運転時間，発停回数のカウント方法を示す図、図７はエンジン運転時間，発停回数のカウント方法を説明するためのフローチャート図、図８は監視モニタ接続状態を示すブロック図、図９は監視アダプタ，監視モニタの同時送信時のタイムチャート図である。
【００１０】
まず図１，図２において、１は遠隔監視装置であり、これは複数のＧＨＰ型空調装置２，２，・・と、これらの空調装置２群の運転状態を監視する監視センタ３と、上記空調装置２群と監視センタ３との間で通信回線４を介して情報の送受信を行う監視アダプタ（上位検知情報出力手段）５とを備えている。
【００１１】
上記各空調装置２は、室外ユニット６と、１組又は２組以上の室外機７からなる室内ユニット７Ａとで構成されている。上記室外ユニット６は、水冷式４サイクルガスエンジン１１を備えた駆動源８と、該駆動源８で駆動される圧縮機１０ａ，１０ａを備えた空調ユニット９と、上記駆動源８，空調ユニット９の運転状態を検知する各種のセンサ群１６，１７と、各種アクチュエータ群１８と、これらの動作を制御するＣＰＵ（コントロールユニット）１９とを備えている。
【００１２】
上記エンジン１１は、吸気通路１３ａからエアクリーナ１３ｂを介して吸引された空気と、ガスボンベ１４ａからガス通路１４ｂを介して供給された燃料ガスとをガスミキサ１３ｃで混合しつつ吸引し、燃焼し、排気ガスを排気通路３０を介して大気中に排出する。なお、１４ｃ，１４ｄは２つのガス遮断弁、１４ｅは減圧弁（セロガバナ），１４ｆはガス量調節弁である。また上記エンジンのオイルパンにはオイルタンク１５ａ内の潤滑油がオイルポンプ１８ｉによって供給される。
【００１３】
また上記エンジン１１は冷却水回路１２を備えており、該冷却水回路１２は、冷却水を、水ポンプ１８ｈにより上記エンジンの排気通路３０の途中に設けられた排気ガス熱交換器１２ｂ，エンジン１１の冷却ジャケット１２ｃ，サーモ弁１２ｄ，リニア三方弁１２ｅ，ラジエータ１２ｉの経路で循環させるように構成されている。なお、１２ｇは冷却水補給タンク、１２ｈは該タンク１２ｇへの逆流防止用の逆止弁である。
【００１４】
ここで上記サーモ弁１２ｄは冷却水温度が例えば６０℃以下のときは冷却水を水ポンプ１８ｈ側に全量バイパスさせ、６０℃を越えるとこのバイパス量を減少させ、７５℃以上でバイパス量を零とする。また上記リニア三方弁１２ｅは主に暖房運転時には冷却水を後述する冷媒回路１０のアキュムレータ１０ｃ側の熱交換通路１２ｆ側に流し、冷房運転時にはラジエータ１２ｉ側に流す。なお、冷房運転時でも効率向上のため熱交換通路１２ｆ側に流しても良い。
【００１５】
上記空調ユニット９は、上記圧縮機１０ａ，１０ａで高圧にされたフロンガスあるいは脱フロンガス等の冷媒を冷媒回路１０を介して室外熱交換器（室外機）１０ｄ，上記室内ユニット７Ａの複数組の室内機７を通るように循環させるように構成されている。
【００１６】
上記冷媒回路１０は、暖房運転時図示するように圧縮機１０ａで加圧された冷媒をオイルセパレータ１０ｂ，四方弁１８ｇを介して３台の室内機７に供給し、各室内機７の室内熱交換器７ａを通って膨張弁７ｂを出た冷媒をアキュムレータ１０ｃ内の熱交換通路１０ｃ′を通って室外機１０ｄ，１０ｄに供給し、該室外熱交換器１０ｄを経た冷媒を四方弁１８ｇ，アキュムレータ１０ｃ内を通って圧縮機１０ａに戻すように構成されている。
【００１７】
また図１，図２において、センサ群１６は駆動源８側の運転状態を検知するためのセンサ群であり、１６ａはガス洩れ検出センサ、１６ｂはオイルタンク１５ａ内の潤滑油面高さを検出するタンク内オイルレベルセンサ、１６ｃはエンジン１１のオイルパン内の潤滑油面高さを検出するオイルレベルセンサ、１６ｄは潤滑油の劣化程度を検出するオイル劣化センサ、１６ｅは上記エンジン１１の冷却ジャケット１２ｃに配設されたエンジン温度センサ、１６ｆはエンジン回転数センサ、１６ｇは冷却水補給タンク１２ｇ内の水面高さを検出する冷却水レベルセンサ、１６ｈはタイマ、１６ｉはメインスイッチのオンオフを検出するセンサである。
【００１８】
またセンサ群１７は空調ユニット９側の運転状態を検知するセンサ群であり、１７ａは外気温度センサ、１７ｂ，１７ｃはそれぞれ冷媒回路１０の高圧側圧力センサ，低圧側圧力センサであり、１７ｄ，１７ｅはそれぞれアキュムレータ１０ｃの高位置センサ，低位置センサである。その他空調ユニット９の運転状態情報を得るセンサ群として、高圧側冷媒温度センサ，低圧側冷媒温度センサ，圧縮機１０ａの温度センサ，駆動源８の内特に水冷式４サイクルエンジン１を収納するエンジン室の室温センサが配置され、ＣＰＵ１９に検知データが入力される。
【００１９】
またアクチュエータ群１８において、１８ａはエンジン１１の起動用セルモータ、１８ｂは上記吸気通路１３ａのミキサ下流側に配設されたスロットル弁、１８ｃは室外熱交換器１０ｄを冷却する室外ファン、１８ｄは累計運転時間表示回路、１８ｅは累計エンジン発停回数表示回路、１８ｆは点火回路であり、また１８ｇ，１８ｈ，１８ｉはそれぞれ上述の通り冷媒回路１０の四方弁、冷却水回路１２の水ポンプ、潤滑油補給用オイルポンプである。なお、ガス遮断弁１４ｃ，１４ｄ，ガス量調整弁１４ｆもＣＰＵ１９により作動制御される。
【００２０】
また上記ＣＰＵ１９は、上記各種のセンサ群１６，１７から入力された運転状態検知情報（検知信号）に基づいて上記各種のアクチュエータ群１８に運転制御信号を出力する運転制御手段として機能する。また、各室内機７にも不図示のＣＰＵが内蔵され、不図示の室内温度センサからの室内温度データ，リモコンから入力されるオン，オフ、希望室内温度，自動運転オンあるいはオフ、希望室内ファンの向き、及び希望室内ファン能力等のデータを受付け、希望室内温度、自動運転オンあるいはオフのデータをＣＰＵ１９に転送する。室内機７側のＣＰＵは自動運転オフ時、室内ファンの向き、室内ファンの回転数を設定制御するとともに、ＣＰＵ１９からの動作命令に基づき、室内機７側のアクチュエータ群である膨張弁７ｂの開度を制御するとともに、自動運転オン時、室内ファンの回転数を制御する。そして該各空調装置２，２・・のＣＰＵ１９同士は通信インターフェース回路１９ａを介して渡り配線された通信バス２０によって直列に接続されており、また該空調装置２群と上記通信回線４との間に上記監視アダプタ５が接続されている。
【００２１】
上記ＣＰＵ１９は、上記各種のセンサ群１６，１７から入力された当該空調装置２の運転状態検知情報を読み取り、メモリ中の制御プログラムに基づき各アクチュエータ群１８、及び室内機７側のアクチュエータ群を作動制御するとともに、監視アダプタ５のＣＰＵ５ａからの要請に基づいて運転状態検知情報を発信し、該監視アダプタ５のＣＰＵ５ａは運転状態検知情報をそのまま、又は該検知情報に基づいて演算した所定の演算値を定期的又は不定期に監視センタ３に送信する。なお、後述するように、定期的な送信を定期発呼とし、不定期な送信には所定の各件が満たされる場合のみ送信する通常不定期発呼と、異常状態のときの送信である異常発呼とがある。
【００２２】
上記運転状態検知情報は、通常情報と異常情報とに区分けされる。通常情報には、エンジン温度，エンジン回転速度，潤滑油レベル等のエンジン運転状態情報と、冷媒回路機器等の運転状態を示す空調ユニット運転状態情報と、累計エンジン運転時間，累計エンジン回転回数，累計エンジン発停回数等の特別監視情報とが含まれる。なお、累計エンジン発停回数とはエンジン回転速度が所定の回転速度未満から以上に変化したとき１加算される積算値である。
【００２３】
また上記異常情報には、エンジン運転状態情報等のうち、オーバーヒート状態を示すエンジン温度、最低レベル以下の潤滑油量等、さらに空調ユニット９の運転状態情報等の内、高圧側圧力，高圧側冷媒温度，低圧側圧力，低圧側冷媒温度，圧縮機温度，エンジン室温等、さらにセンサー群１６，１７のいずれかの脱線情報等、緊急の対応を必要とする情報が含まれ、後述するように監視アダプタ５が予め設定されたしきい値又は演算式等に基づいて判断する。
【００２４】
なお、各空調装置２のＣＰＵ１９において、当該空調装置のセンサ群１６，１７からの検知情報に基づいて異常が発生したか否かの判断を行うように構成しても良い。
【００２５】
ここで図５に示すように、上記監視アダプタ５は定期的に、上記全ての空調装置（図５ではＧＨＰ♯１〜３と記す）２のＣＰＵ１９に対して運転状態検知情報の問い合わせ信号を通信インターフェイス１９ａを介して同報で送信し、各空調装置２のＣＰＵ１９は所定タイミング毎に応答し、識別番号（♯１等）とともに運転状態検知情報を送信する。なお、この場合に、図５の右部に示すように、監視アダプタ５が対象とする空調装置のみに個別通信により上記問い合わせ信号を送信し、対象の空調装置のみが応答するようにしてもよい。
【００２６】
そして上記監視アダプタ５は定期的に上記取得した運転状態検知情報を監視センタ３に上記識別番号と共に順次送信し、監視センタ３では各空調装置の運転状態が記憶され、必要に応じて表示器（ＣＲＴ）に表示され、あるいはプリンタに出力される。この結果は定期的に監視センタ３から各空調装置を管理する代理店，販売店へ郵便，ファクシミリあるいはパソコン通信等により伝えられる。下記する累計エンジン運転時間，累計エンジン回転回数及び累計エンジン発停回改の内少なくとも１つはこの時、他の情報とともに上記管理する代理店等に送られ、各空調装置のメンテナンスに活用される。
【００２７】
このように、各空調装置２のＣＰＵ１９が各空調装置の運転状態検知情報を識別番号とともに監視アダプタ５に送信し、該アダプタ５が各空調装置の運転状態検知情報を識別番号とともに監視センタ３に送信するようにしたので、１つの監視アダプタ５によって複数の空調装置２，２・・を同時に一括監視することができる。また、監視アダプタ５と各空調装置２との間で通信バス２０を介して実施される通信方式（信号電圧，パルス信号の周波数，信号コード等々，以下同様）と、監視アダプタ５と監視センタ３の間で通信回線４を介して実施される通信方式を別個のものとすることができる。これにより、監視アダプタ５とこれに連結される空調装置群を一つの監視対象ユニットとする時、監視センタ３により複数の監視対象ユニットを監視するにあたり、監視対象ユニット毎に独自の通信方式の採用が可能となり、監視センタ３により遠隔監視するにあたり、既存の空調装置２の信号方式まで変更する大がかりなソフトの改変が不要となる。
【００２８】
そして図４に示すように、上記運転状態検知情報のうち通常情報は、時間により管理される定期的な送信（以下、定期発呼と略称する）あるいはプログラムに基づいて所定の各件が満たされる場合のみ送信する不定期的送信（以下、通常不定期発呼と略称する）で通報されるが、上記異常情報は、上記定期発呼及び通常不定期発呼に優先する不定期の送信（以下、異常発呼と略称する）で通報される。即ち、同図に示すように、異常発呼が無い時は定期発呼あるいは通常不定期発呼を行うが、異常発呼を行う際は定期発呼の間隔をずらすことあるいは通常定期発呼に割込むことにより異常発呼の優先度を高くするようになっている。
【００２９】
上記定期発呼，通常不定期発呼及び異常発呼を、図３のフローチャートに基づいてさらに詳細に説明する。まず、上記監視アダプタ５から問い合わせ信号が全ての空調装置２のＣＰＵ１９に通信バス２０から通信インターフェース１９ａを介して同報で送信され、該各ＣＰＵ１９から識別番号と運転状態検知信号とが応答送信される（ステップＳ１）。そして各空調装置２からの応答情報から異常が発生しているか、例えばエンジン温度が所定値以上か、あるいは潤滑油レベルが所定値以下か等に基づいて判断される（ステップＳ２）。
【００３０】
異常が発生していると判断された場合には、当該空調装置に対して個別通信により異常詳細データが要請され（ステップＳ３）、該要請への応答情報から現に継続中（発生中）の異常が有ると判断されると、異常詳細データが異常履歴に記憶される（ステップＳ４，５）。
【００３１】
そして異常履歴中に未通報の異常情報が有る場合には直ちに異常発呼処理が行われる（ステップＳ６，７）。またステップＳ６にて異常履歴中に未通報の異常情報が無い場合には、定期発呼要求あるいは通常不定期発呼要求を待って通常の発呼処理が行われる（ステップＳ８，７）。異常が発生している時には各空調装置６は、直ちにエンジン回転改を低下させるべくスロットル弁開度１８ｂを絞り、必要に応じてエンジン停止を行うとともに、室内機７側において異常発生警告灯あるいはリモコンのディスプレイに異常内容を表示する。一方監視センタ３が異常情報を受信すると、異常内容及びその他の運転状態検知情報は代理店，販売店へ電話，ファクシミリあるいはパソコン通信等により伝えられ、サービスメンテナンス活動に活用される。
【００３２】
このように監視アダプタ５において、各空調装置からの運転状態検知情報を監視センタ３に定期発呼によって通報するとともに、運転状態検知情報から異常の発生が検知された場合には、該異常情報を定期発呼あるいは通常不定期発呼を待つことなく直ちに監視センタ３に通報するようにしたので、エンジンオーバーヒート，潤滑油不足等緊急を要するメンテナンスにも確実に対応でき、かつ単に発呼間隔を狭める場合のような通信負担の増大の問題が生じることもない。
【００３３】
ここで、上記監視アダプタ５は、上記各空調装置のＣＰＵ１９から、累計エンジン運転時間，累計エンジン回転回数，及び累計エンジン発停回数情報の内の１つあるいは複数を取得し、監視センタ３に送信する。この場合、空調装置からの情報が累計エンジン運転時間，累計エンジン回転回数，及び累計エンジン発停回数を示すものである場合には、そのまま監視センタ３に送信するが、このような累計値ではなく、単なるエンジン回転速度情報等である場合には以下の要領で累計エンジン運転時間，累計エンジン回転回数，及び累計エンジン発停回数の内１つあるいは複数を演算し、該演算値を監視センタ３に送信する。
【００３４】
まず、累計エンジン運転時間は、図６に示すように、エンジン回転速度を読み込み、その値が起動用セルモータ１８ａの回転数Ｒ０より大きく、スロットル弁１８ｂを全閉とする時のアイドル回転数Ｒ１より小さい所定値Ｒｒｐｍ、例えば２００，２５０，あるいは３００ｒｐｍ以上である時間をエンジン運転時間として積算することにより求められる。
【００３５】
また累計エンジン発停回数は、エンジン回転速度を読み込み、その値がＲｒｐｍ未満の状態から以上の状態に変化したとき１回エンジンの発停があったとして発停回数を１つ増加することにより求められる。
【００３６】
さらにまた累計エンジン回転回数は、エンジン回転速度とタイマ１６ｈにより求められる該回転速度の継続時間とから求めたエンジン回転回数の積算により求められる。
【００３７】
上記累計エンジン運転時間，累計エンジン発停回数の求め方を図７のフローチャートに基づいてさらに詳細に説明する。情報取得の対象とする空調装置が、累計運転時間，累計発停回数のカウンタを備えた機種であるか否かが判断され（ステップＳ１１）、該カウンタ付きの機種の場合には、当該空調装置に対して累計運転時間，累計発停回数の問い合わせ信号が送信され、これらの情報が取得され（ステップＳ２０）、発呼タイミングになるとこれらの累計エンジン運転時間，累計エンジン発停回数情報を監視センタ３に送信する発呼処理が行われる（ステップＳ１８，１９）。
【００３８】
そしてステップＳ１１において、対象空調装置が上記カウンタを備えない機種である場合には、当該空調装置からエンジン回転速度情報が取得され（ステップＳ１２）、エンジン回転速度が所定回転数Ｒｒｐｍを越えている時間をエンジン運転時間として前回のエンジン運転時間に加算することにより累計エンジン運転時間が求められる（ステップＳ１３，１４）。
【００３９】
またエンジン回転速度がＲｒｐｍ以上となった時点で、Ｒｒｐｍ未満であった時点での前回のエンジン発停回数に１を加算することにより現時点での累計エンジン発停回数が求められる（ステップＳ１５〜１７）。そして発呼タイミングになると、上記演算された累計エンジン運転時間，累計エンジン発停回数情報を監視センタ３に送信する発呼処理が行われる（ステップＳ１８，１９）。
【００４０】
このように、対象空調装置が累計エンジン運転時間，累計エンジン発停回数を求めることのできない機種である場合には、監視アダプタ５において、エンジン回転速度に基づいて累計エンジン運転時間等を演算するようにしたので、空調装置側の運転時間等のカウント能力の有無に関わらず累計エンジン運転時間，累計エンジン発停回数を求めることができ、メンテナンス時期の把握が容易確実である。
【００４１】
以上の実施例において監視アダプタ５は、記憶するプログラムに基づいて各空調装置群に対して発呼処理を行い、通常情報あるいは異常情報を取り込むとともに、監視センタ３に対して発呼処理を行い、監視センタ３が受信可能状態下において、通常情報あるいは通常情報に優先して異常情報を送信する。すなわち、各空調装置群と監視アダプタ５との間の発呼処理と、監視アダプタ５と監視モニタ３と発呼処理とが同期しない場合、各空調装置群からの情報を一時的にメモリするようにしている。
【００４２】
なお、監視センタ３が各空調装置群に対して、監視センタ３において監視対象となる情報のみについて発呼処理を行なうようにしても良い。この場合には、監視アダプタ５は通信方式の変換のみを制御する。
【００４３】
また上記各空調装置のＣＰＵ１９にはモニタ接続端子１９ｃが通信インターフェース１９ｂを介して接続されており、このモニタ接続端子１９ｃには、図１，図８に示すように、監視モニタ２１が接続可能となっている。なお、図８の符号２２は、燃料ガスの消費量を求め、監視センタ３に送信する自動ガス量検針ユニットである。図８においては、監視アダプタ５と各室外ユニットは直列に通信線２０ａ，２０ｂ，２０ｃ，・・・により連結される。通信線２０ａと２０ｂは室外ユニット６内において、インターフェイス回路，ＣＰＵ，別のインターフェース回路を介して連結されている。通信線２０ｂと２０ｃも同様である。この場合は、通信線２０ａ，２０ｂ，２０ｃ毎に別の通信方式を採用することも可能となる。
【００４４】
上記監視モニタ２１は、上記何れか１つの空調装置のモニタ接続端子１９ｃに接続することにより、全ての空調装置２の運転状態検知情報をＣＲＴ２１ｂに順次表示できるようになっている。この場合、監視モニタ２１のＣＰＵ２１ａは、全ての空調装置２のＣＰＵ１９に対し、運転状態検知情報の取得を要請する問い合わせ信号を同報又は個別に送信し、各空調装置のＣＰＵ１９からエンジン運転状態検知情報，空調ユニット運転状態検知情報等を取得し、ＣＲＴ２１ｂに表示する。一つの監視モニタ２１であっても複数の空調装置の点検が可能となる。監視モニタ２１としてノート型パソコンを使用することもできる。
【００４５】
ここで監視モニタ２１と監視アダプタ５とが上述の問い合わせ信号を同時送信した場合はデータの衝突が生じる。この場合の処理は図９に示すように行われる。例えば監視モニタ２１からＧＨＰ♯２に、監視アダプタ５からＧＨＰ♯３に同時に問い合わせ信号が送信された場合、監視アダプタ５がデータ衝突を検知し、タイミングをずらして再度ＧＨＰ♯３に問い合わせ信号を再度送信することによりデータ衝突があってもＧＨＰ♯２，３からの応答が可能となる。即ち、監視アダプタ５がデータ衝突検知手段及び再送信手段として機能する。
【００４６】
このように、何れかの空調装置に監視モニタ２１を接続することにより、全ての空調装置の運転状態を一度に表示して監視でき、各空調装置毎に監視モニタを一台，一台接続し直して運転状態を表示する場合に比較して監視が容易であり、例えば試運転，トラブル対応，メンテナンス等の作業が容易である。
【００４７】
またこの場合、監視モニタ２１と監視アダプタ５とで同時送信があった場合には、監視アダプタ５側でデータ衝突を検知し、タイミングをずらして再度送信するようにしたので、監視アダプタ５と監視モニタ２１との機能を同時に果たすことができ、同時接続が可能である。
【００４８】
上記実施形態では、監視アダプタ５を空調装置２群と通信回線４との間に設けたが、該監視アダプタ５は何れかの空調装置２，２同士の間に設けることも勿論可能である。この場合は、図１の実施の形態と同様に通信線２０ａ，２０ｂ，２０ｃ，・・・を１つの通信バス２０とし、通信バス２０と各室外ユニット６とを連結するようにすると良い。そして監視モニタ２１と監視アダプタ５の間の通信方式と、監視アダプタ５と各室外ユニット６との間の通信方式を別とすることができるが、少なくとも信号電圧を共通にする必要がある。
なお、監視モニタ２１とＣＰＵ１９との信号を通信用インターフェース１９ａを介して実施しても良く、この場合には通信用インターフェース１９ｂは不要とすることができ、通信バス２０にモニタ接続端子を設ける。このモニタ接続端子が１９´ｃである。
【００４９】
また上記実施形態では、監視アダプタ５を別個独立に設けた例を説明したが、この監視アダプタの以下に示す機能▲１▼〜▲３▼を何れかの空調装置、例えば図１０の自動ガス量検針ユニット２２側寄りの特定の空調装置２′の室外ユニット６のＣＰＵ１９に持たせることも可能であり、この場合は監視アダプタ自体は不要になる。なお、図１０中、１０１は室内ユニット７の運転制御用ＣＰＵ、１０２はセンサ群、１０３はアクチュエータ群、１０４〜１０６は通信用インタフェースである。  リモコン２０１ａは、１つの室外ユニット６に接続される複数の室内ユニット７，７，７の全てを通信バス２００を介して運転制御可能とするものである。リモコン２０１ｂは、制御対象となる室内ユニット７のみを運転制御可能とするものである。２０２は室内機７に直接もうけられた運転制御スイッチである。
【００５０】
▲１▼各空調装置に対して運転状態検知情報の取得を要請する問い合わせ情報を上記特定のＣＰＵ１９から同報により又は個別に送信し、各空調装置からの応答情報を、監視センタ３からの定期発呼要請に基づいて送信する。
【００５１】
▲２▼上記応答情報から上述の異常の発生が確認された場合には、当該異常の空調装置のＣＰＵに対して異常詳細データを要請し、該詳細データから発生中の異常が有ると判断された場合にはその異常情報を定期発呼を待つことなく直ちに監視センタ３に送信する。
【００５２】
▲３▼また監視対象空調装置が累計エンジン運転時間，累計エンジン発停回数，累計エンジン回転回数を検出できない機種である場合には、当該空調装置のエンジン回転速度に基づいて上記累計エンジン運転時間，累計エンジン発停回数，累計エンジン回転回数を演算し、該演算値を定期発呼時に又は所定値に達した時点で監視センタに送信する。
【００５３】
なお、上記▲１▼においては監視センタ３と特定の空調装置２´との間の通信は、監視センタ３から定期発呼要請が発せられることに基づく実施形態であるが、以下の▲１▼´のようにしても良い。
▲１▼´特定室外ユニット６のＣＰＵ１９に各室外ユニットへの定期発呼要請をさせ、且つ各室外ユニットからの通常の不定期発呼及び異常発呼の受入れをさせ、監視ユニットへの発呼処理（受信可能状態の問い合わせ及び発信）をさせる。
上記実施形態▲１▼あるいは▲１▼´において、通信バスには監視ユニットへの発呼処理のための通信電流と、特定室外ユニット６のＣＰＵ１９とその他の室外ユニット６のＣＰＵ１９との間の発呼処理のための信号電流が流れる。このため、両発呼処理のための通信方式の内、信号電圧のみは共通となるように設定する。なお、特定室外ユニット６と自動ガス量検針ユニット２２を結ぶ通信バスと、特定室外ユニット６と各室外ユニット６とを結ぶ通信バスにおける通信方式を電圧を含めて別物とすることができる。
また、通信バス２００を使う室外ユニット６と各室内ユニット７との間の通信方式と、特定室外ユニット６のＣＰＵ１９と各室外ユニットとの間の通信方式は共通にすることができる。これは、監視アダプタ５を使う場合においても同様であり、通信バス２００上の通信方式と通信バス２０上の通信方式を共通とすることができる。
【００５４】
【発明の効果】
以上のように請求項１の発明によれば、運転状態検知情報のうちの異常情報を通常情報に優先させて空調装置側から監視センタ側に送信する検知情報出力手段を設けたので、エンジンオーバーヒート，潤滑油不足等の緊急な対応を要する異常状態が発生した場合には、該異常情報は定期発呼を待つことなく速やかに監視センタ側に送信されるので、送信遅れによる空調装置のダメージを防止できる効果があり、また単純に運転状態検知情報の発呼間隔を狭くして対応する場合に比べて通信負担を軽くできる。
【００５５】
また請求項２の発明によれば、空調装置の異常が検知されたときは該異常の空調装置の識別情報と異常情報との組合せ情報を、他の空調装置の識別番号と通常情報との組合せ情報に優先させて送信するようにしたので、検知情報出力手段が単数で済み、監視対象の空調装置が複数ある場合でも、低コストで異常情報の優先発送を実現できる効果がある。
【００５６】
請求項３の発明によれば、空調装置同士の間、又は空調装置群と上記通信回線との間に別個独立の検知情報出力手段を介設したので、各空調装置自体は同一の構成の制御手段を備えたもので済み、複数の空調装置の単数の検知情報出力手段での監視を単純な構成で実現できる効果がある。
【００５７】
また請求項４の発明によれば、上記検知情報出力手段の機能を何れかの空調装置の運転状態制御手段（ＣＰＵ）に持たせたので、別個独立の検知情報出力手段が不要になり、設備コストを低減できる効果がある。
【図面の簡単な説明】
【図１】本発明の一実施形態に係るＧＨＰ型空調装置の遠隔監視装置の制御系のブロック図である。
【図２】上記実施形態装置の空調装置のブロック図である。
【図３】上記実施形態装置の発呼動作を説明するためのフローチャート図である。
【図４】上記実施形態装置の発呼動作を説明するためのタイムチャート図である。
【図５】上記実施形態装置の運転状態検知情報の取得時のタイムチャート図である。
【図６】上記実施形態装置のエンジン運転時間，発停回数のカウント方法を説明するための図である。
【図７】上記実施形態装置のエンジン運転時間，発停回数のカウント方法を説明するためのフローチャート図である。
【図８】上記実施形態装置の監視モニタ接続状態を示すブロック図である。
【図９】上記実施形態装置の監視アダプタ，監視モニタの同時送信時の動作を説明するためのタイムチャート図である。
【図１０】上記実施形態における監視アダプタ機能を空調装置側に持たせるようにした変形例のブロック図である。
【符号の説明】
１  遠隔監視装置
２  ＧＨＰ型空調装置
３  監視センタ
４  通信回線
５  監視アダプタ（上位検知情報出力手段）
１９  空調装置のＣＰＵ（検知情報出力手段の機能を有する制御手段）
【図１】
0003715018.tif 000002
【図２】
0003715018.tif 000003
【図３】
0003715018.tif 000004
【図４】
0003715018.tif 000005
【図５】
0003715018.tif 000006
【図６】
0003715018.tif 000007
【図７】
0003715018.tif 000008
【図８】
0003715018.tif 000009
【図９】
0003715018.tif 000010
【図１０】
0003715018.tif 000011